(57)【要約】【課題】ＣＤの音楽データをオーディオ装置１０からＵＳＢメモリ２０に録音等、する場合に、ＵＳＢメモリ２０が不用意に外れる事態に対処する。【解決手段】ＵＳＢメモリ２０は、雄端子部２１を雌端子部１５に長手方向へ差し込まれ、次に、所定量回転してから、オーディオ装置１０にロックされる（Ｓ６１，Ｓ６２）。オーディオ装置１０からＵＳＢメモリ２０への録音データの伝送は、ＵＳＢメモリ２０のロック検出後に開始される（Ｓ６４）。録音中にＵＳＢメモリ２０をオーディオ装置１０から抜こうとする場合では、ＵＳＢメモリ２０がまずアンロックされ（Ｓ６５Ｙ）、その後、回転方向への円弧ガイド１８による案内を経て、オーディオ装置１０から抜かれる。オーディオ装置１０は、アンロック後の案内期間を利用して、ＵＳＢメモリ２０の音楽ファイルを閉じる（Ｓ６７）。【選択図】図９
2008171251.tif 000002
【特許請求の範囲】
【請求項１】
外付けメモリ装置用コネクタが分離自在に結合する受け側コネクタ、
前記外付けメモリ装置用コネクタと前記受け側コネクタとの結合状態で前記外付けメモリ装置用コネクタをロックするロック手段、
前記外付けメモリ装置用コネクタがロック状態であるかアンロック状態であるかを検出するロック検出手段、及び
前記外付けメモリ装置用コネクタがアンロック状態からロック状態に切り替わったことが検出されてから、外付けメモリ装置との間のコンテンツデータ伝送を許容する実行許容手段、
を備えることを特徴とするコンテンツ処理装置。
【請求項２】
前記外付けメモリ装置用コネクタがアンロック状態からロック状態に切り替わったことが検出されてから、前記受け側コネクタを介して前記外付けメモリ装置へ通電を開始する通電制御手段、
を備えることを特徴とする請求項１記載のコンテンツ処理装置。
【請求項３】
前記外付けメモリ装置用コネクタと前記受け側コネクタとの結合状態を維持しつつ前記外付けメモリ装置用コネクタを所定の案内経路で案内する案内手段、及び
前記外付けメモリ装置用コネクタを前記案内経路の終端位置でロックする前記ロック手段、
を備えることを特徴とする請求項１又は２記載のコンテンツ処理装置。
【請求項４】
前記外付けメモリ装置用コネクタのロック状態からアンロック状態への切替の検出時から、前記外付けメモリ装置用コネクタが前記案内経路の始端位置に到達するまで、前記受け側コネクタを介する前記外付けメモリ装置への通電を保持する前記通電制御手段、及び
前記外付けメモリ装置用コネクタのロック状態からアンロック状態への切替の検出時に、前記外付けメモリ装置のコンテンツの処理中であれば、前記外付けメモリ装置用コネクタのアンロック時点から前記外付けメモリ装置用コネクタが前記案内経路の始端位置に到達する時点までの期間に、該コンテンツのファイルを閉じるファイル処理手段、
を備えることを特徴とする請求項３記載のコンテンツ処理装置。
【請求項５】
前記案内手段は、前記受け側コネクタからの前記外付けメモリ装置用コネクタの抜け方向に対して直角な面方向へ前記外付けメモリ装置用コネクタを案内するものであることを特徴とする請求項３又は４記載のコンテンツ処理装置。
【発明の詳細な説明】
【技術分野】
【０００１】
本発明は、ＵＳＢメモリのような外付けメモリ装置を接続されるコンテンツ処理装置に関するものである。
【背景技術】
【０００２】
特許文献１は、ＵＳＢメモリをノート型ＰＣ（パーソナルコンピュータ）に、ＵＳＢケーブルを介さずに、直付けすることを開示する（特許文献１の図１５）。特許文献１は、また、ＵＳＢメモリにおいて、把持部が基端部に対して回転する構造を開示する（特許文献１の図１及び図２）。
【０００３】
一方、ユーザが、オーディオ装置のＵＳＢコネクタにＵＳＢメモリを適宜、差し込んで、ＣＤの音楽データをＵＳＢメモリに録音したり、ＵＳＢメモリの音楽をオーディオ装置で聞いたりすることが行なわれている。
【特許文献１】特開２００５−１９６２５６号公報
【発明の開示】
【発明が解決しようとする課題】
【０００４】
従来のＵＳＢメモリは、オーディオ装置のコネクタから簡単に抜き出せるために、ＵＳＢメモリが、それへの音楽データ録音中や音楽データ転送（転送：ｍｏｖｅ）中、ユーザの間違いでコネクタから抜かれたり、ユーザの意図に反してコネクタから抜けたりする事態が起こり得る。そのような事態は、楽曲データの消失等のトラブルとなる。
【０００５】
本発明の目的は、外付けメモリ装置用コネクタの不用意な抜けに係る問題に対処することができるコンテンツ処理装置を提供することである。
【課題を解決するための手段】
【０００６】
本発明のコンテンツ処理装置は次のものを備えている。
外付けメモリ装置用コネクタが分離自在に結合する受け側コネクタ、
外付けメモリ装置用コネクタと受け側コネクタとの結合状態で外付けメモリ装置用コネクタをロックするロック手段、
外付けメモリ装置用コネクタがロック状態であるかアンロック状態であるかを検出するロック検出手段、及び
外付けメモリ装置用コネクタがアンロック状態からロック状態に切り替わったことが検出されてから、外付けメモリ装置との間のコンテンツデータ伝送を許容する実行許容手段。
【発明の効果】
【０００７】
本発明によれば、外付けメモリ装置用コネクタはコンテンツ処理装置にロックされることにより、受け側コネクタからの外付けメモリ装置用コネクタの抜けが阻止されるので、外付けメモリ装置用コネクタの不用意な抜けを防止することができる。また、コンテンツ処理装置−外付けメモリ装置間のコンテンツデータ伝送は、ロック状態の検出を待って行なわれるので、コンテンツデータ伝送中における外付けメモリ装置用コネクタの不用意な抜けという事態の防止を確実化することができる。
【発明を実施するための最良の形態】
【０００８】
図１はオーディオ装置１０の正面図である。オーディオ装置１０は、正面パネル部に、ＣＤ用スロット１１、表示部１２、キー入力部１３及びＵＳＢ接続部１４を有している。ＵＳＢ接続部１４は、さらに、雌端子部１５及びロック解除ボタン１６を備えている雌端子部１５は、Ｒ方向へ回転自在になっている。ロック解除ボタン１６は、押下自在であり、図示していない係止部材を操作する。
【０００９】
図２はＵＳＢメモリ２０の平面図である。説明の便宜上、ＵＳＢメモリ２０，２０ｂ（図４）について、長手方向、幅方向及び厚さ方向を定義する。ＵＳＢメモリ２０，２０ｂの長手方向とは、ＵＳＢ接続部１４への挿抜方向であり、図２，４における左右方向である。幅方向とは図２，４の上下方向とする。厚さ方向とは図２，４の紙面に対して直角方向とする。幅方向及び厚さ方向は、雄端子部２１の横断面としての矩形輪郭の長辺及び短辺の延び方向に一致する。さらに、長手方向に対して雄端子部側及び反雄端子部側をそれぞれ前側及び後ろ側と呼ぶことにする。実施例のＵＳＢメモリ２０，２０ｂは、厚さ方向へ薄い扁平な形状になっている。
【００１０】
ＵＳＢメモリ２０は雄端子部２１及びケース２２を備えている。雄端子部２１は、ＵＳＢ規格のとおりの構造、形状及び寸法となっており、ケース２２の一端から突出し、ＵＳＢ接続部１４への接続時では雌端子部１５に挿抜自在に差し込まれる。ケース２２は、前端部において、その幅方向の両端部に切欠き溝２３を有している。
【００１１】
図３はＵＳＢ接続部１４の詳細な正面図である。底板１７は円柱状穴２４の奥部に配置され、Ｒ方向へ雌端子部１５と一体的に回転するように支持されている。雌端子部１５は、回転自在の底板１７から隆起しており、ＵＳＢメモリ２０の非接続時では、幅方向を水平方向にした回転位置に保持されている。１対の円弧ガイド１８は、底板１７の手前において、円柱状穴２４の周面から中心の方へ突出し、周方向へ約９０°の範囲にわたって延びている。
【００１２】
ＵＳＢメモリ２０は、雌端子部１５に直付けで接続されるようになっており、その雄端子部２１を雌端子部１５に差し込まれる。差込み完了状態では、切欠き溝２３と円弧ガイド１８とは円柱状穴２４の軸方向へ同一位置になる。ＵＳＢメモリ２０を、その幅方向が水平方向となる回転位置から図３の時計方向へわずかに回転すると、各切欠き溝２３内へ各円弧ガイド１８が嵌入する。以降、ＵＳＢメモリ２０は、円弧ガイド１８による切欠き溝２３の案内により、雌端子部１５への雄端子部２１の装着状態を保持しつつ、時計方向へ回転する。
【００１３】
ＵＳＢメモリ２０が雌端子部１５と一体に９０°回転し、ＵＳＢメモリ２０の幅方向が上下方向へ揃うと、ケース２２がストッパ１９に当接し、回転が停止する。ＵＳＢメモリ２０の回転停止直前に、ケース２２の前端部は、円柱状穴２４の周部から突設する係止突起（図示せず）を半径方向外側へ付勢力に抗して押しやりつつ、それを乗り越える。該係止突起は、ケース２２により乗り越えられた後、付勢力により突出位置へ戻り、ケース２２の反時計方向回転を阻止する。すなわち、係止突起は、反時計方向側の面を斜面にして、時計方向回転のケース２２との当接により付勢力に抗して半径方向外側へ引き込まれ、また、時計方向側の面をケース２２の回転方向に対して直角な面にして、反時計方向回転のケース２２との当接に対して突出位置を保持して、ケース２２が反時計方向へ乗り越えないようにしている。
【００１４】
ケース２２は、ストッパ１９に当接した回転位置において、回転方向両側から係止突起とストッパ１９とに挟まれ、これによりＵＳＢメモリ２０はオーディオ装置１０にロック状態になる。ユーザは、ＵＳＢメモリ２０をオーディオ装置１０から外すときは、ロック解除ボタン１６（図１）を押下して、係止突起を引き込ませ、次に、ＵＳＢメモリ２０を、係止突起を通過させつつ、反時計方向へ９０°回転させて、ＵＳＢメモリ２０の幅方向を水平方向にする。その回転位置では、切欠き溝２３は円弧ガイド１８から抜け出しており、ＵＳＢメモリ２０は長手方向へ引き抜き自在である。そして、ＵＳＢメモリ２０を円柱状穴２４から引き抜くと、雄端子部２１が雌端子部１５から分離する。
【００１５】
雄端子部２１と雌端子部１５との結合状態では、ＵＳＢメモリ２０の回転位置に関係なく、雌端子部１５と雄端子部２１との電源やデータ等の対応端子同士は接続状態に維持されている。
【００１６】
図４は別のＵＳＢメモリ２０ｂの平面図である。ＵＳＢメモリ２０ｂにおいて、ＵＳＢメモリ２０の部位と同一の部位は、ＵＳＢメモリ２０の部位と同符号で指示している。ＵＳＢメモリ２０ｂは、１対の切欠き溝２３に代えて、１対の係止穴２６を厚さ方向の両側に有している。
【００１７】
図５は図４のＵＳＢメモリ２０ｂに対応するＵＳＢ接続部１４ｂを示している。ＵＳＢ接続部１４ｂは、ＵＳＢ接続部１４の代わりにオーディオ装置１０に配備される。嵌入穴２７の内周輪郭及び寸法はＵＳＢメモリ２０ｂのケース２２の前端部の周輪郭と同一となっている。嵌入穴２７の深さは、雄端子部２１を雌端子部１５に差し込んだときに、係止穴２６が嵌入穴２７内に没入するものになっている。雌端子部１５は、嵌入穴２７の底面２９から隆起している。雌端子部１５は、ＵＳＢ接続部１４の雌端子部１５と異なり、回転しない。
【００１８】
１対の係止突起２８は、嵌入穴２７の上下の周面部に配設され、嵌入穴２７の周面から嵌入穴２７の中心の方へ突出している。ＵＳＢメモリ２０ｂをオーディオ装置１０に接続するときは、雄端子部２１を嵌入穴２７内の雌端子部１５に差し込む。これにより、ケース２２の前端部は嵌入穴２７内に没入する。係止突起２８は、嵌入穴２７の開口側を斜面としているので、ＵＳＢメモリ２０ｂの没入時では、係止突起２８は、その斜面へのＵＳＢメモリ２０ｂのケース２２の前端面の当接により、付勢力に抗して嵌入穴２７から引き込まれる。そして、雄端子部２１が雌端子部１５に完全に差し込まれると、係止突起２８はケース２２の係止穴２６の位置になり、付勢力により係止穴２６に嵌入する。
【００１９】
係止突起２８の背面側は、ＵＳＢメモリ２０ｂの引き抜き方向へ斜面ではなく、直角な面となっているので、ＵＳＢメモリ２０ｂは係止突起２８によりロックされる。ＵＳＢメモリ２０ｂでは、雄端子部２１が雌端子部１５に装着されるのと、ＵＳＢメモリ２０ｂがオーディオ装置１０にロックされるのとが同時に行なわれる。
【００２０】
ユーザは、係止突起２８によるロックを解除するときは、ロック解除ボタン１６（図１）を押下する。これにより、係止突起２８は、引き込み位置になり、係止穴２６から抜かれ、ＵＳＢメモリ２０ｂは嵌入穴２７から引き抜き自在になる。
【００２１】
図６はオーディオ装置１０の回路構成図である。図６では、オーディオ装置１０は、図２のＵＳＢメモリ２０の接続に対応したＵＳＢ接続部１４（図３）の構造となっているが、オーディオ装置１０は、図４のＵＳＢメモリ２０ｂの接続に対応したＵＳＢ接続部１４ｂ（図５）の構造を装備していてもよい。ＣＰＵ３１は、ＵＳＢメモリ２０がＵＳＢ接続部１４にロック状態にあるか否かの信号、すなわちロック検出信号をＵＳＢ接続部１４から受け取る。電源３４は、ＵＳＢメモリ２０がＵＳＢ接続部１４にロック状態になると、ＵＳＢ接続部１４への給電を開始し、これにより、ＵＳＢメモリ２０はＵＳＢ接続部１４を介して電力を供給開始される。
【００２２】
ＵＳＢコントローラ３６は、ＵＳＢ接続部１４とＣＰＵ３１との間に介在し、ＵＳＢメモリ２０−ＣＰＵ３１間のデータ送受を仲介する。ＭＤドライブ３８及びＣＤドライブ３９は、それぞれＭＤ及びＣＤをセットされる。ＣＰＵ３１は、ＭＤやＣＤの再生の際、ＤＳＰ４２にデータをデコードさせる。デコードされた音声信号は、Ｄ／Ａコンバータ４３においてアナログ信号へ変換され、アンプ４４において増幅されてから、スピーカ（図示せず）へ送られる。
【００２３】
ＵＳＢメモリ２０には音楽ファイルが格納される。オーディオ装置１０は、ＵＳＢメモリ２０との接続時では、ＵＳＢメモリ２０から音楽ファイルのデータを読み出して、自機側で再生したり、ＣＤやＭＤの音楽データをＵＳＢメモリ２０に録音して、音楽ファイルを生成したりする。ＵＳＢメモリ２０の代わりにＵＳＢメモリ２０ｂが接続されたときも同様である。
【００２４】
図７は周知のデジタルオーディオブレーヤ１０５をオーディオ装置１０に接続するときに使用するＵＳＢケーブル１００を示している。周知のデジタルオーディオブレーヤ１０５は、携帯型としてユーザに携帯されるものであり、楽曲ファイル等のコンテンツファイルを内蔵メモリに格納して、それらコンテンツファイルを自機で適宜、再生自在になっている。デジタルオーディオブレーヤ１０５は、周知のように、ＵＳＢマストレージ対応機器として、ＵＳＢメモリ２０，２０ｂの代替物として利用できる。デジタルオーディオブレーヤオーディオ装置１０５の内蔵メモリはハードディスク又はフラッシュメモリのどちらであってもよい。
【００２５】
ＵＳＢケーブル１００は、オーディオ装置１０のＵＳＢ接続部１４へ接続されるコネクタ１０１と、デジタルオーディオブレーヤ１０５へ接続されるコネクタ１０２とを備えている。コネクタ１０２は一般のＵＳＢケーブルの構造と同一であるのに対し、コネクタ１０１の前端部はＵＳＢメモリ２０の前述の前端部と同一の構造とされている。すなわち、コネクタ１０１は前端部に、雄端子部２１と、把持部の該雄端子部２１に近い位置に１対の切欠き溝２３を有している。コネクタ１０１の前端を、ＵＳＢメモリ２０ｂ（図４）と同一構造、すなわち、把持部に１対の係止穴２６を形成する構造とすることもできる。こうして、ＵＳＢケーブル１００を介してデジタルオーディオブレーヤ１０５をオーディオ装置１０へ接続することにより、ＵＳＢメモリ２０，２０ｂに対してオーディオ装置１０が行う処理と同一の処理を、オーディオ装置１０がデジタルオーディオブレーヤ１０５に対しても行うことができる。
【００２６】
図８は給電開始ルーチン５０のフローチャートである。図８及び図９では、ＵＳＢメモリ２０について説明するが、ＵＳＢメモリ２０ｂや、コネクタ１０１付きＵＳＢケーブル１００を介して接続したデジタルオーディオブレーヤ１０５についても同様である。Ｓ５１において、ＵＳＢメモリ２０が接続されたか否かを判定し、判定が否である間は、Ｓ６１の処理を継続し、判定が正になりしだい、Ｓ５２へ進む。ＵＳＢメモリ２０が接続されたか否かは、雌端子部１５及び雄端子部２１の対応端子同士が接続されたか否かや、又はリミットスイッチにより雄端子部２１が雌端子部１５への装着位置の深さに達したか否か等により検出することができる。Ｓ５２では、ＵＳＢメモリ２０がロックされたか否かを判定し、判定が否である間は、Ｓ５２の処理を継続し、判定が正になりしだい、Ｓ５３へ進む。ＵＳＢメモリ２０がロックされたか否かは、例えばリミットスイッチによりＵＳＢメモリ２０のロック位置を検出することにより検出することができる。
【００２７】
Ｓ５３では、ＵＳＢバスをパワーオンにする。すなわち、オーディオ装置１０からＵＳＢメモリ２０へ電力を供給する。これに伴い、オーディオ装置１０は、ＵＳＢメモリ２０のデータの読み出し及びＵＳＢメモリ２０へのデータ書き込みが可能になる。なお、ユーザは、オーディオ装置１０を電源オフにしたまま、ＵＳＢメモリ２０をオーディオ装置１０に接続することがある。これに対処して、もし、Ｓ５３の実行時点で、オーディオ装置１０が電源オフ状態にあれば、オーディオ装置１０を電源オン状態に切り替えてから、Ｓ５３において、ＵＳＢバスをパワーオンにするようにする。この場合、ＣＰＵ３１は、オーディオ装置１０の電源オフ中も、給電開始ルーチン５０の処理を実行するのに必要な最小限の電力供給を確保され、オーディオ装置１０を電源オフ状態からオン状態へ切り替える。
【００２８】
図９は録音処理ルーチン６０のフローチャートである。録音処理ルーチン６０は、ユーザから録音指示を受け付けることに伴い、実施される。Ｓ６１では、ＵＳＢメモリ２０が接続されているか否かを判定し、判定が正になりしだい、Ｓ６２へ進む。Ｓ６２では、ＵＳＢメモリ２０がロック状態であるか否かを判定し、判定が正になりしだい、Ｓ６３へ進む。
【００２９】
Ｓ６３では、ユーザがＵＳＢメモリ２０への録音開始を指示したか否かを判定する。典型的には、録音のソースはＣＤドライブ３９のＣＤの音声であるが、その他に、ＭＤドライブ３８のＭＤやチューナの音声であることもある。Ｓ６３の判定が正であれば、Ｓ６４へ進み、否であれば、録音処理ルーチン６０を終了する。
【００３０】
Ｓ６４では録音を実行する。Ｓ６５では、ＵＳＢメモリ２０のロックが解除されたか否かを判定し、解除されたならば、Ｓ６７へ進み、ロック維持であれば、Ｓ６６へ進む。Ｓ６６では、ユーザより録音終了の指示があるか否かを判定し、判定が正であれば、Ｓ６７へ進み、否であれば、Ｓ６５へ戻る。
【００３１】
Ｓ６７では、録音を終了し、ＵＳＢメモリ２０内の録音中ファイルをクローズする。図３で説明したように、ＵＳＢメモリ２０が、ロック解除後も、反時計方向へ９０°回転するまでは、雌端子部１５と雄端子部２１との接続が維持されているので、この維持期間を利用して、ファイルのクローズ処理を行なうことができる。
【００３２】
図１０はコンテンツ処理装置７０の構成を示すブロック図である。コンテンツ処理装置７０の一例はオーディオ装置１０（図１）である。コンテンツ処理装置７０が処理するコンテンツは、オーディオに限定されず、ビデオや静止画像であってもよい。コンテンツ処理装置７０は、家庭や自動車内に据え付けられるものや、ユーザが適宜、手に持って、移動可能となっているものであってよい。コンテンツ処理装置７０は、受け側コネクタ７１、ロック手段７２、ロック検出手段７３及び実行許容手段７４を備えている。
【００３３】
受け側コネクタ７１は、外付けメモリ装置用コネクタ７８が分離自在に結合可能となっている。ロック手段７２は、外付けメモリ装置用コネクタ７８と受け側コネクタ７１との結合状態で外付けメモリ装置用コネクタ７８をロックする。ロック検出手段７３は、外付けメモリ装置用コネクタ７８がロック状態であるかアンロック状態であるかを検出する。実行許容手段７４は、外付けメモリ装置用コネクタ７８がアンロック状態からロック状態に切り替わったことが検出されてから、外付けメモリ装置７７との間のコンテンツデータ伝送を許容する。
【００３４】
外付けメモリ装置７７の具体例は、前述のＵＳＢメモリ２０，２０ｂ（図２及び図４）、ＵＳＢマストレージ対応機器としてのデジタルオーディオブレーヤ１０５、又はその他の書換え自在の不揮発メモリである。不揮発メモリには、フラッシュメモリやハードディスクが含まれる。外付けメモリ装置用コネクタ７８の具体例は、ＵＳＢメモリ２０，２０ｂの前端部又はコネクタ１０１（図７）である。外付けメモリ装置用コネクタ７８は、外付けメモリ装置７７に一体に形成されていても、ＵＳＢケーブル等のケーブルの端部であってもよいとする。外付けメモリ装置用コネクタ７８が外付けメモリ装置７７に一体に形成される場合には、外付けメモリ装置７７は、受け側コネクタ７１に直付け、すなわちケーブルの介在無しで結合される。
【００３５】
外付けメモリ装置用コネクタ７８がロック状態であるか否かは、例えば、リミットスイッチにより外付けメモリ装置用コネクタ７８が所定位置としてのロック位置にあるか否かを割り出すことにより検出することができる。コンテンツ処理装置７０と外付けメモリ装置７７との間のコンテンツデータ処理として、例えば、コンテンツ処理装置７０が、外付けメモリ装置７７内のコンテンツデータを読み出して、コンテンツを再生したり、ＣＤやＭＤやチューナの音を録音して、オーディオファイルを外付けメモリ装置７７に新規作成したりする処理が挙げられる。
【００３６】
コンテンツ処理装置７０では、外付けメモリ装置用コネクタ７８をロックして、外付けメモリ装置用コネクタ７８の抜き取りを阻止するようになっているので、コンテンツ処理装置７０−外付けメモリ装置７７間の伝送が不用意な外付けメモリ装置用コネクタ７８の抜けにより中断して生じる不具合を防止できる。
【００３７】
好ましくは、コンテンツ処理装置７０は通電制御手段８０を備えている。通電制御手段８０は、外付けメモリ装置用コネクタ７８がアンロック状態からロック状態に切り替わったことが検出されてから、受け側コネクタ７１を介して外付けメモリ装置７７へ通電を開始する。例えば、ロック状態になる前に、受け側コネクタ７１と外付けメモリ装置用コネクタ７８との端子同士が接続状態になり、この状態で、コンテンツ処理装置７０から外付けメモリ装置７７への通電を開始すると、意図せずに、受け側コネクタ７１と外付けメモリ装置用コネクタ７８との結合が外れて、外付けメモリ装置７７のコンテンツデータに不具合が生じることがある。通電制御手段８０はこのような不具合を防止する。
【００３８】
ユーザが、コンテンツ処理装置７０の電源オフ（非投入）状態である期間に、外付けメモリ装置用コネクタ７８を受け側コネクタ７１に結合して、外付けメモリ装置用コネクタ７８をロック状態にした場合に、コンテンツ処理装置７０を自動的に電源オン（投入状態）へ切り替える電源切替手段を追加することもできる。これを可能にするために、コンテンツ処理装置７０の電源切替手段と共に、実行許容手段７４も、コンテンツ処理装置７０の電源オフ期間も作動状態に保持される。通電制御手段８０は、電源切替手段に連動して、電源切替手段がコンテンツ処理装置７０の電源をオフからオンへ切り替えるのに伴い、外付けメモリ装置７７への通電を開始する。電源切替手段は、通電制御手段８０を兼ねることもできる。
【００３９】
コンテンツ処理装置７０は、好ましくは、案内手段８１を備えている。案内手段８１は、外付けメモリ装置用コネクタ７８と受け側コネクタ７１との結合状態を維持しつつ、外付けメモリ装置用コネクタ７８を所定の案内経路で案内する。これに対して、ロック手段７２は、外付けメモリ装置用コネクタ７８を案内経路の終端位置でロックする。
【００４０】
典型的には、案内手段８１は、受け側コネクタからの外付けメモリ装置用コネクタ７８の抜け方向に対して直角な面方向へ外付けメモリ装置用コネクタ７８を案内するものである。案内手段８１の具体例は円弧ガイド１８（図３）である。円弧ガイド１８の案内経路では、円弧状の円弧ガイド１８におけるストッパ１９側及び反ストッパ１９側の各端がそれぞれ円弧ガイド１８の終端位置及び始端位置になっている。
【００４１】
好ましくは、コンテンツ処理装置７０はファイル処理手段８２を備えている。通電制御手段８０は、外付けメモリ装置用コネクタ７８のロック状態からアンロック状態への切替の検出時から、外付けメモリ装置用コネクタ７８が案内経路の始端位置に到達するまで、受け側コネクタ７１を介する外付けメモリ装置７７への通電を保持する。これに対して、ファイル処理手段８２は、外付けメモリ装置用コネクタ７８のロック状態からアンロック状態への切替の検出時に、外付けメモリ装置７７のコンテンツの処理中であれば、外付けメモリ装置用コネクタ７８のアンロック時点から外付けメモリ装置用コネクタ７８が案内経路の始端位置に到達する時点までの期間に、該コンテンツのファイルを閉じる。
【００４２】
外付けメモリ装置用コネクタ７８のロックにもかかわらず、ユーザは、間違って、外付けメモリ装置用コネクタ７８のロックを外し、さらに、外付けメモリ装置用コネクタ７８をコンテンツ処理装置７０から外してしまうことがある。この場合に、外付けメモリ装置７７のファイルを閉じる処理を終了させないと、外付けメモリ装置７７のコンテンツデータに問題が生じる。コンテンツ処理装置７０では、外付けメモリ装置用コネクタ７８がロック状態からアンロック状態への切り替わっても、案内経路の終端位置から始端位置までの外付けメモリ装置用コネクタ７８の移動期間では、受け側コネクタ７１及び外付けメモリ装置用コネクタ７８は結合状態に維持されるとともに、外付けメモリ装置７７の通電が保持されることになる。したがって、該移動に要する期間を利用して、外付けメモリ装置７７のファイルを閉じる処理を完了することができる。
【００４３】
ロック手段７２が外付けメモリ装置用コネクタ７８のアンロック状態からロック状態への切り替わりを検出した時、外付けメモリ装置７７に格納されているコンテンツを調べ上げ、その中に、コンテンツ処理装置７０の記憶装置にバックアップされていないコンテンツが見つかれば、再生処理や録音処理に先立って、該コンテンツをコンテンツ処理装置７０の記憶装置にバックアップしてもよい。
【００４４】
外付けメモリ装置７７のコンテンツをコンテンツ処理装置７０て再生している期間に、外付けメモリ装置用コネクタ７８のロック状態からアンロック状態への切り替わりか検出された時は、アンロック切り替わり時から、外付けメモリ装置用コネクタ７８と受け側コネクタ７１との分離時までの時間を利用して、再生中止処理を完了するのが好ましい。もし、再生中止対象のコンテンツのバックアップファイルがコンテンツ処理装置７０の記憶装置にあるならば、再生中止箇所からバックアップファイルを再生開始することもできる。
【００４５】
本発明を最良の形態等について説明したが、本発明は、これに限定されず、要旨の範囲内で種々の形態により実施可能であることは言うまでもない。
【図面の簡単な説明】
【００４６】
【図１】オーディオ装置の正面図である。
【図２】ＵＳＢメモリの平面図である。
【図３】ＵＳＢ接続部の詳細な正面図である。
【図４】別のＵＳＢメモリの平面図である。
【図５】図４のＵＳＢメモリに対応するＵＳＢ接続部の正面図である。
【００４７】
【図６】オーディオ装置の回路構成図である。
【図７】周知のデジタルオーディオブレーヤを図１のオーディオ装置に接続するときに使用するＵＳＢケーブルを示す図である。
【図８】給電開始ルーチンのフローチャートである。
【図９】録音処理ルーチンのフローチャートである。
【図１０】コンテンツ処理装置の構成を示すブロック図である。
【符号の説明】
【００４８】
７０：コンテンツ処理装置、７１：装置側コネクタ、７２：ロック手段、７３：検出手段、７４：実行許容手段、７７：外付けメモリ装置、７８：外付けメモリ装置用コネクタ、８０：通電制御手段、８１：案内手段、８２：ファイル処理手段。
【図１】
2008171251.tif 000003
【図２】
2008171251.tif 000004
【図３】
2008171251.tif 000005
【図４】
2008171251.tif 000006
【図５】
2008171251.tif 000007
【図６】
2008171251.tif 000008
【図７】
2008171251.tif 000009
【図８】
2008171251.tif 000010
【図９】
2008171251.tif 000011
【図１０】
2008171251.tif 000012